(57)【要約】      （修正有）【課題】記憶容量の拡充や非接触感応や使用便利の効果を奏するＳＩＭカードを提供する。【解決手段】カード本体１０、主チップ１３、拡充部材１４及びアンテナ部材１５を有し、カード本体１０は、プラスチック製のプレートであり、その中央に拡充部１１が形成されると共に、一端にアンテナ収容溝１２が形成され、主チップ１３は、カード本体１０に設けられると共に、拡充部１１の一側に位置され、拡充部材１４は、カード本体１０の拡充部１１に設けられ、アンテナ部材１５は、カード本体１０のアンテナ収容溝１２に設けられることを特徴とするものである。【選択図】図１
0003146061.tif 000002
【実用新案登録請求の範囲】
【請求項１】
カード本体、主チップ、拡充部材及びアンテナ部材を有し、該カード本体は、プラスチック製のプレートであり、その中央に拡充部が形成されると共に、一端にアンテナ収容溝が形成され、該主チップは、該カード本体に設けられると共に、該拡充部の一側に位置され、該拡充部材は、該カード本体の拡充部に設けられ、該アンテナ部材は、該カード本体のアンテナ収容溝に設けられることを特徴とする、ＳＩＭカード。
【請求項２】
前記アンテナ部材は、ＲＦアンテナであり、その周波数は１３.５Ｈｚであることを特徴とする、請求項１に記載のＳＩＭカード。
【請求項３】
前記アンテナ部材は、ＲＦアンテナであり、その周波数は２.４ＧＨｚであることを特徴とする、請求項１に記載のＳＩＭカード。
【請求項４】
前記拡充部材は、メモリーユニットであることを特徴とする、請求項１乃至請求項３のいずれか１項に記載のＳＩＭカード。
【請求項５】
前記拡充部材は、非接触式チップであることを特徴とする、請求項１乃至請求項３のいずれか１項に記載のＳＩＭカード。
【請求項６】
前記拡充部材は、接触式チップであることを特徴とする、請求項１乃至請求項３のいずれか１項に記載のＳＩＭカード。
【請求項７】
前記カード本体の拡充部は、中空状であり、その一側に支持ブロックが設けられ、該拡充部材に該支持ブロックと対応する係合凹部が形成されることを特徴とする、請求項１乃至請求項３のいずれか１項に記載のＳＩＭカード。
【請求項８】
前記カード本体の拡充部は、凹部構造であり、該凹部構造の底部とカード本体に一体化の支持プレートが設けられることを特徴とする、請求項１乃至請求項３のいずれか１項に記載のＳＩＭカード。
【請求項９】
前記支持プレートの厚さは該カード本体の厚さより小さく、且つ該拡充部材の厚さと該支持プレートの厚さとの合計は、該カード本体の厚さと等しいことを特徴とする、請求項８に記載のＳＩＭカード。
【考案の詳細な説明】
【技術分野】
【０００１】
本考案は、特に記憶容量の拡充や非接触感応や使用便利の効果を有するＳＩＭカードに関するものである。
【背景技術】
【０００２】
ＳＩＭ（Subscriber Identity Module）カードは、ＩＣＣ（Integrated Circuit Card）スマートカードの一種であり、現在のＧＳＭ携帯電話のＩＤカードや携帯式電子装置（例えばノートブックパソコン）によく用いられる。図５に示すように、従来のＳＩＭカード（２）は、プラスチック製のカード本体（２０）を有し、該カード本体（２０）の所定位置にチップ（２１）が設けられ、該チップ（２１）に使用者の身分資料や電話帳などの資料が記載される。該ＳＩＭカード（２）を携帯電話（符号なし）に設置すると、該チップ（２１）における端子が携帯電話の内部に設けられる接続点と連結され、該携帯電話のアンテナを通じて該資料の伝送を行う。
【考案の開示】
【考案が解決しようとする課題】
【０００３】
しかしながら、該チップ（２１）をＳＩＭカード（２）のカード本体（２０）に設置した後、該ＳＩＭカード（２）は該チップ（２１）が既に有する功能しかなく、該ＳＩＭカード（２）は１つのチップ（２１）しか有しないため、該ＳＩＭカード（２）の功能も限られている。
【０００４】
更に、該チップ（２１）は、携帯電話のアンテナによって資料の伝送を行うことが可能となり、現有の携帯電話におけるアンテナの周波数は、９００Ｈｚ、１８００Ｈｚ又は１９００Ｈｚなどであるため、この以外の周波数を使用する電子装置（例えばセキュリティー管制システム）は、該ＳＩＭカード（２）と配合して使用することができず、故に該ＳＩＭカードの使用領域は限られてしまう。
【０００５】
又、デジタル資料を膨大に使用すること（例えば、映像ファイルや文字ファイルなどの使用）に伴い、該ＳＩＭカード（２）の記憶容量は既に足りない現象が現るため、ＳＩＭカード（２）の記憶容量をいかに拡充することもＳＩＭカードの製造業者に対して研究開発の課題となる。
【０００６】
更に、従来のＳＩＭカード（２）を電子装置から装着又は取出する際、該カード本体（２０）に便利に取出するための構造を有しないので、非常に不便であり、又、該ＳＩＭカード（２）を設置する際、挿入方向の間違い又は力を使いすぎると、該ＳＩＭカード（２）を損傷する恐れがあり、又は該ＳＩＭカード（２）を使用できない場合も生じている。
【０００７】
そこで、案出されたのが本考案であって、記憶容量の拡充や非接触感応や使用便利の効果を奏するＳＩＭカードを提供することを目的としている。
【課題を解決するための手段】
【０００８】
本願の請求項１の考案は、カード本体、主チップ、拡充部材及びアンテナ部材を有し、該カード本体は、プラスチック製のプレートであり、その中央に拡充部が形成されると共に、一端にアンテナ収容溝が形成され、該主チップは、該カード本体に設けられると共に、該拡充部の一側に位置され、該拡充部材は、該カード本体の拡充部に設けられ、該アンテナ部材は、該カード本体のアンテナ収容溝に設けられることを特徴とするＳＩＭカード、を提供する。
【０００９】
本願の請求項２の考案は、前記アンテナ部材は、ＲＦアンテナであり、その周波数は１３.５Ｈｚであることを特徴とする請求項１に記載のＳＩＭカード、を提供する。
【００１０】
本願の請求項３の考案は、前記アンテナ部材は、ＲＦアンテナであり、その周波数は２.４ＧＨｚであることを特徴とする請求項１に記載のＳＩＭカード、を提供する。
【００１１】
本願の請求項４の考案は、前記拡充部材は、メモリーユニットであることを特徴とする請求項１又は２又は３に記載のＳＩＭカード、を提供する。
【００１２】
本願の請求項５の考案は、前記拡充部材は、非接触式チップであることを特徴とする請求項１又は２又は３に記載のＳＩＭカード、を提供する。
【００１３】
本願の請求項６の考案は、前記拡充部材は、接触式チップであることを特徴とする請求項１又は２又は３に記載のＳＩＭカード、を提供する。
【００１４】
本願の請求項７の考案は、前記カード本体の拡充部は、中空状であり、その一側に支持ブロックが設けられ、該拡充部材に該支持ブロックと対応する係合凹部が形成されることを特徴とする請求項１又は２又は３に記載のＳＩＭカード、を提供する。
【００１５】
本願の請求項８の考案は、前記カード本体の拡充部は、凹部構造であり、該凹部構造の底部とカード本体に一体化の支持プレートが設けられることを特徴とする請求項１又は２又は３に記載のＳＩＭカード、を提供する。
【００１６】
本願の請求項９の考案は、前記支持プレートの厚さは該カード本体の厚さより小さく、且つ該拡充部材の厚さと該支持プレートの厚さとの総合は、該カード本体の厚さと等しいことを特徴とする請求項８に記載のＳＩＭカード、を提供する。
【考案の効果】
【００１７】
本考案は上記の課題を解決するものであり、カード本体に拡充部材とアンテナ部材を設置することが可能な拡充部とアンテナ収容溝が設けられることにより、ＳＩＭカードの功能を向上することができる。
【考案を実施するための最良の形態】
【００１８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１９】
図１は本考案に係るＳＩＭカードの斜視図であり、図２は本考案に係るＳＩＭカードの分解斜視図であり、図３は本考案に係るＳＩＭカードの拡充部の第１実施例を示す一部断面図であり、図４は本考案に係るＳＩＭカードの拡充部の第２実施例を示す一部断面図である。
【００２０】
図１及び図２に示すように、本考案に係わるＳＩＭカードは、カード本体（１０）、主チップ（１３）、拡充部材（１４）及びアンテナ部材（１５）を有し、該カード本体（１０）は、プラスチック製のプレートであり、その中央に拡充部（１１）が形成されると共に、一端にアンテナ収容溝（１２）が形成され、該主チップ（１３）は、該カード本体（１０）に設けられると共に、該拡充部（１１）の一側に位置される。該拡充部材（１４）は、該カード本体（１０）の拡充部（１１）に設けられ、該アンテナ部材（１５）は、該カード本体（１０）のアンテナ収容溝（１２）に設けられる。
【００２１】
該拡充部材（１４）は、メモリーユニットや他の非接触式チップや接触式チップである。該拡充部材（１４）はメモリーユニットである場合、該ＳＩＭカードの記憶容量を拡充することができ、又、該拡充部材（１４）は非接触式チップである場合、該拡充部材（１４）が該アンテナ部材（１５）と配合してセキュリティー管制システムの感応に使用することができ、又、該拡充部材（１４）は接触式チップである場合、該接触式チップが主チップ（１３）と等しい効果を有することにより、該ＳＩＭカードは二つの携帯電話の番号を使用することができる。
【００２２】
又、前記アンテナ部材（１５）は、例えばＲＦアンテナであり、その周波数は異なる電子装置に応じて１３.５Ｈｚ又は２.４ＧＨｚであることができる。
【００２３】
図３に示すように、前記カード本体（１０）の拡充部（１１）は、中空状であり、その一側に支持ブロック（１１０）が設けられ、該拡充部材（１４）に該支持ブロック（１１０）と対応する係合凹部（１４０）が形成されることにより、該拡充部材（１４）を該カード本体（１０）の拡充部（１１）に位置決めることができる。
【００２４】
図４に示すように、該カード本体（１０）の拡充部（１１）は、凹部構造であってもよく、該凹部構造の底部とカード本体（１０）に一体化の支持プレート（１１１）が設けられ、該支持プレート（１１１）の厚さは該カード本体（１０）の厚さより小さく、且つ該拡充部材（１４）の厚さと該支持プレート（１１１）の厚さとの総合は、該カード本体（１０）の厚さと等しい。
【００２５】
該アンテナ部材（１５）と拡充部材（１４）を夫々該アンテナ収容溝（１２）と拡充部（１１）に設置した後、二次の加工作業、粘着作業又は他の結合作業により、該アンテナ部材（１５）と拡充部材（１４）を該カード本体（１０）と緊密に結合させる。
【００２６】
又、図１に示すように、本考案に係わるＳＩＭカードは、該カード本体（１０）の少なくとも一側に凹部（１００）が形成され、本実施例では、該カード本体（１０）の両側に夫々凹部（１００）が形成されることにより、使用者は該ＳＩＭカードを電子装置に取出する際、つめで該凹部（１００）を引き出して該ＳＩＭカードを簡単に電子装置から取出することができる。
【産業上の利用可能性】
【００２７】
本考案は上記の構成を有するので、カード本体に拡充部材とアンテナ部材を設置することが可能な拡充部とアンテナ収容溝が設けられることにより、ＳＩＭカードの功能を向上させることができる。
【図面の簡単な説明】
【００２８】
【図１】本考案に係るＳＩＭカードの斜視図
【図２】本考案に係るＳＩＭカードの分解斜視図
【図３】本考案に係るＳＩＭカードの拡充部の第１実施例を示す一部断面図
【図４】本考案に係るＳＩＭカードの拡充部の第２実施例を示す一部断面図
【図５】従来のＳＩＭカードの斜視図
【符号の説明】
【００２９】
１０        カード本体
１００      凹部
１１        拡充部
１１０      支持ブロック
１１１      支持プレート
１２        アンテナ収容溝
１３        主チップ
１４        拡充部材
１４０      係合凹部
１５        アンテナ部材
２          ＳＩＭカード
２０        カード本体
２１        チップ
【図１】
0003146061.tif 000003
【図２】
0003146061.tif 000004
【図３】
0003146061.tif 000005
【図４】
0003146061.tif 000006
【図５】
0003146061.tif 000007